(57)【要約】【課題】挿入部基端側への十分な容量の放熱経路を確保可能な内視鏡を提供する。【解決手段】内視鏡は、体腔内に挿入される挿入部６の先端部１０に撮像装置を備える。撮像装置は、受像面が挿入部６の長手方向に交差して配置されるイメージセンサ２１と、イメージセンサ２１の接続端子２６が設けられた面に対向し、接続端子２６と接続するセンサ接続部３０と、センサ接続部３０の外径端から挿入部６の基端側かつ受像面の中心方向に延伸した電線接続部３１とを有し、１回以上折り曲げられた回路基板２４と、挿入部６の基端に対向する電線接続部３１のケーブル接続面３１ａに接続される複数本のケーブル２８が束ねられた複合線２７とを有する。複合線２７は、束ねられた複数本のケーブル２８の周りに設けられた第１シールド導体２７Ｂを有する。第１シールド導体２７Ｂは、複数本のケーブル２８が接続される電線接続部３１のケーブル接続面３１ａに接続される。【選択図】図２
2018038677.tif 000002
【特許請求の範囲】
【請求項１】
体腔内に挿入される挿入部の先端部に撮像装置を備える内視鏡であって、
前記撮像装置は、
受像面が前記挿入部の長手方向に交差して配置される固体撮像素子と、
前記固体撮像素子の接続端子が設けられた面に対向して前記接続端子と接続する第１領域部と、前記第１領域部の外径端から前記挿入部の基端側かつ前記受像面の中心方向に延伸した第２領域部と、を有し、１回以上折り曲げられた基板と、
前記挿入部の基端側から先端側に伸び、前記挿入部の基端に対向する前記第２領域部の一面に電気的に接続される複数本のケーブルが束ねられた複合線と、を有し、
前記複合線は、束ねられた前記複数本のケーブルの周りに設けられた第１外部導体を有し、
前記第１外部導体は、前記複数本のケーブルが接続される前記第２領域部の一面であるケーブル接続面に接続される、内視鏡。
【請求項２】
請求項１に記載の内視鏡であって、
前記固体撮像素子を保持する保持部材及び前記基板を、前記挿入部の長手方向と直交する平面に投影した場合、前記第２領域部の前記ケーブル接続面が前記保持部材の投影最外径端の内側に位置する、内視鏡。
【請求項３】
請求項１又は２に記載の内視鏡であって、
前記ケーブルはシールド線であり、前記ケーブルの芯線の周りに設けられた第２外部導体は前記第２領域部の前記ケーブル接続面に接続される、内視鏡。
【請求項４】
請求項１から３のいずれか一項に記載の内視鏡であって、
前記第２領域部の前記ケーブル接続面とは反対側の面に、電子部品が実装される、内視鏡。
【請求項５】
請求項１から４のいずれか一項に記載の内視鏡であって、
前記基板は可撓性基板である、内視鏡。
【請求項６】
請求項１から５のいずれか一項に記載の内視鏡であって、
前記撮像装置は、前記固体撮像素子及び前記基板を覆うケースを有し、前記第１外部導体は前記ケースに接続される、内視鏡。
【請求項７】
請求項３に記載の内視鏡であって、
前記撮像装置は、前記固体撮像素子及び前記基板を覆うケースを有し、前記第２外部導体は前記ケースに接続される、内視鏡。
【請求項８】
請求項１から５のいずれか一項に記載の内視鏡であって、
前記撮像装置は、前記固体撮像素子を保持する保持部材を有し、前記第１外部導体は前記保持部材に接続される、内視鏡。
【請求項９】
請求項３に記載の内視鏡であって、
前記撮像装置は、前記固体撮像素子を保持する保持部材を有し、前記第２外部導体は前記保持部材に接続される、内視鏡。
【発明の詳細な説明】
【技術分野】
【０００１】
本発明は、内視鏡に関する。
【背景技術】
【０００２】
内視鏡の挿入部先端に搭載される撮像装置は、一般に、イメージセンサと、イメージセンサが実装される回路基板とを備え、挿入部に挿通されたケーブルが回路基板に接続される。
【０００３】
特許文献１に記載された撮像ユニットでは、基板上に固体撮像素子及び電子部品が実装され、ケーブルに挿通された複数の信号線の導線部は基板の所定領域に接続されている。また、特許文献２に記載された撮像装置では、フレキシブル基板の一端に固体撮像素子が実装され、折り曲げられたフレキシブル基板の他端に複数の信号線が接続されている。なお、フレキシブル基板の一端と他端の間には、電子部品が実装されている。
【先行技術文献】
【特許文献】
【０００４】
【特許文献１】特許第４９１６５９５号公報
【特許文献２】特開２００８−１１８５６８号公報
【発明の概要】
【発明が解決しようとする課題】
【０００５】
被検体内に挿入される内視鏡の挿入部には細径化が求められるため、挿入部の内容物は互いに密に配置される。しかし、密に配置された狭い空間内では、固体撮像素子などで発生した熱がこもりやすいため、放熱経路を用意しておく必要がある。このとき、挿入部が被検体内に挿入された状態で挿入部先端側に放熱することは望ましくないため、放熱経路は挿入部基端側に設けられる方が好ましい。なお、放熱経路の確保によって挿入部の細径化は阻害されないことが望ましい。
【０００６】
本発明は、上述した事情に鑑みなされたものであり、挿入部基端側への十分な容量の放熱経路を確保可能な内視鏡を提供することを目的とする。
【課題を解決するための手段】
【０００７】
本発明の一態様の内視鏡は、
体腔内に挿入される挿入部の先端部に撮像装置を備える内視鏡であって、
上記撮像装置は、
受像面が上記挿入部の長手方向に交差して配置される固体撮像素子と、
上記固体撮像素子の接続端子が設けられた面に対向して上記接続端子と接続する第１領域部と、上記第１領域部の外径端から上記挿入部の基端側かつ上記受像面の中心方向に延伸した第２領域部と、を有し、１回以上折り曲げられた基板と、
上記挿入部の基端側から先端側に伸び、上記挿入部の基端に対向する上記第２領域部の一面に電気的に接続される複数本のケーブルが束ねられた複合線と、を有し、
上記複合線は、束ねられた上記複数本のケーブルの周りに設けられた第１外部導体を有し、
上記第１外部導体は、上記複数本のケーブルが接続される上記第２領域部の一面であるケーブル接続面に接続される。
【発明の効果】
【０００８】
本発明によれば、挿入部基端側への十分な容量の放熱経路を確保可能な内視鏡を提供することができる。
【図面の簡単な説明】
【０００９】
【図１】本発明に係る内視鏡を備えた内視鏡システムの構成図である。
【図２】第１実施形態の撮像装置の斜視図である。
【図３】第１実施形態の撮像装置の側面図である。
【図４】伝送ケーブルの断面図である。
【図５】第２実施形態の撮像装置の斜視図である。
【図６】第３実施形態の撮像装置の斜視図である。
【図７】第３実施形態の撮像装置の部分破断側面図である。
【図８】第４実施形態の撮像装置の部分破断側面図である。
【図９】第５実施形態の撮像装置の側面図である。
【図１０】第６実施形態の撮像装置の側面図である。
【発明を実施するための形態】
【００１０】
以下、本発明の実施形態について図面を参照して説明する。
【００１１】
図１は、本発明の実施形態を説明するための、内視鏡システムの一例を示す。
【００１２】
内視鏡システム１は、内視鏡２と、光源ユニット３と、プロセッサユニット４とを備える。内視鏡２は、被検体内に挿入される挿入部６と、挿入部６に連なる操作部７と、操作部７から延びるユニバーサルコード８とを有し、挿入部６が内視鏡２の先端側、ユニバーサルコード８が基端側に設けられている。挿入部６は、先端部１０と、先端部１０に連なる湾曲部１１と、湾曲部１１と操作部７とを繋ぐ軟性部１２とで構成されており、先端部１０が挿入部６の長手軸における先端側、軟性部１２が同長手軸における基端側に設けられている。なお、挿入部６の長手軸における先端側は内視鏡２の先端側と同義であり、挿入部６の長手軸における基端側は内視鏡２の基端側と同義である。
【００１３】
先端部１０には、観察部位を照明するための照明光を出射する照明光学系や、観察部位を撮像する撮像装置及び撮像光学系などが設けられている。湾曲部１１は挿入部６の長手軸と直交する方向に湾曲可能に構成されており、湾曲部１１の湾曲動作は操作部７にて操作される。また、軟性部１２は、挿入部６の挿入経路の形状に倣って変形可能な程に比較的柔軟に構成されている。
【００１４】
操作部７には、先端部１０の撮像装置の撮像動作を操作するボタンや、湾曲部１１の湾曲動作を操作するノブなどが設けられている。また、操作部７には、電気メスなどの処置具が導入される導入口１３が設けられており、挿入部６の内部には、導入口１３から先端部１０に達し、処置具が挿通される処置具チャンネル１４が設けられている。
【００１５】
ユニバーサルコード８の末端にはコネクタ９が設けられ、内視鏡２は、コネクタ９を介して、先端部１０の照明光学系から出射される照明光を生成する光源ユニット３、及び先端部１０の撮像装置によって取得される映像信号を処理するプロセッサユニット４と接続される。プロセッサユニット４は、入力された映像信号を処理して観察部位の映像データを生成し、生成した映像データをモニタ５に表示させ、また記録する。
【００１６】
挿入部６及び操作部７並びにユニバーサルコード８の内部にはライトガイドや電線群が収容されている。光源ユニット３にて生成された照明光がライトガイドを介して先端部１０の照明光学系に導光され、先端部１０の撮像装置とプロセッサユニット４との間で信号や電力が電線群を介して伝送される。
【００１７】
図２及び図３は、挿入部６の先端部１０に搭載された撮像装置の第１実施形態の構成を示す。
【００１８】
第１実施形態の撮像装置２０は、イメージセンサ（固体撮像素子）２１と、鏡筒２２と、センサホルダ（保持部材）２３と、イメージセンサ２１などが実装される回路基板（基板）２４と、伝送ケーブル（複合線）２７とを備える。なお、回路基板２４に実装されたイメージセンサ２１は、回路基板２４及び伝送ケーブル２７を介してプロセッサユニット４に接続される。
【００１９】
以下、第１実施形態の撮像装置２０が備える各構成要素について説明する。
【００２０】
イメージセンサ２１は、ＣＣＤ（Charge Coupled Device）イメージセンサやＣＭＯＳ（Complementally Metal Oxide Semiconductor）イメージセンサなどの固体撮像素子であり、受像面にて結像された光学画像を光電変換する。イメージセンサ２１は、その受像面が挿入部６の長手方向に交差して配置されている。受像面を法線方向に見た場合のイメージセンサ２１の外径は１ｍｍ四方以下である。イメージセンサ２１の受像面とは反対側の背面には、信号や電力が入出力される複数の接続端子２６が設けられている。
【００２１】
鏡筒２２は、イメージセンサ２１の受像面に被写体像を結像させる撮像光学系を収納する。
【００２２】
センサホルダ２３は、基端側にイメージセンサ２１を保持し、先端側に鏡筒２２を保持する。センサホルダ２３は、撮像光学系の光軸Ａに沿って移動可能に鏡筒２２を保持しており、鏡筒２２が移動されて撮像光学系に対するイメージセンサ２１の位置が調整可能となっている。鏡筒２２は、イメージセンサ２１の位置決めがなされた後に、例えば接着剤などによってセンサホルダ２３に固定される。
【００２３】
回路基板２４は、イメージセンサ２１などが実装されるフレキシブル基板である。回路基板２４は、センサ接続部（第１領域部）３０と、電線接続部（第２領域部）３１とを有し、センサ接続部３０と電線接続部３１の境界２４ａで折り曲げられている。
【００２４】
センサ接続部３０は、イメージセンサ２１の受像面とは反対側の接続端子２６が設けられた面に対向し、イメージセンサ２１の接続端子２６と電気的に接続する接続面３０ａを有する。電線接続部３１は、センサ接続部３０の外径端から挿入部６の基端側かつイメージセンサ２１の受像面の中心方向に延伸する。
【００２５】
電線接続部３１の挿入部６の基端に対向する一面（以下、「ケーブル接続面」という。）３１ａには、伝送ケーブル２７が接続される。電線接続部３１のケーブル接続面３１ａとは反対側の面には、コンデンサなどの電子部品４０が実装される。
【００２６】
回路基板２４は、これをセンサホルダ２３に対して挿入部６の長手方向と直交する平面に投影した場合に、電線接続部３１のケーブル接続面３１ａがセンサホルダ２３の投影最外径端の内側に位置するよう配置されている。さらに、センサホルダ２３、イメージセンサ２１及び回路基板２４を挿入部６の先端側から見たとき、回路基板２４は、センサホルダ２３とイメージセンサ２１の陰となる領域内に配置されている。
【００２７】
図４は、伝送ケーブル２７の断面図である。図４に示すように、伝送ケーブル２７は、２本のケーブル２８が束ねられた複合線である。２本のケーブル２８は、結束層２７Ａによって束ねられている。結束層２７Ａの外側には第１シールド導体（第１外部導体）２７Ｂが設けられている。第１シールド導体２７Ｂは外被２７Ｃで被覆されている。第１シールド導体２７Ｂは、伝送ケーブル２７を構成する部材の中で比較的大きな体積を占める部材である。ケーブル２８は、芯線２８Ａと、絶縁層２８Ｂを介して芯線２８Ａの外側に設けられた第２シールド導体（第２外部導体）２８Ｃと、第２シールド導体２８Ｃを被覆する外被２８Ｄとを有する。
【００２８】
図２及び図３に示すように、回路基板２４のケーブル接続面３１ａには、複数のランド３２が形成され、各ランド３２に、ケーブル２８の芯線２８Ａが各々電気的に接続されている。また、ケーブル接続面３１ａには、伝送ケーブル２７の第１シールド導体２７Ｂが銀ペースト又は半田により接続されている。
【００２９】
上記説明した第１実施形態の構成によれば、伝送ケーブル２７を構成する部材の中で比較的体積の大きな第１シールド導体２７Ｂが、銀ペースト又は半田により回路基板２４のケーブル接続面３１ａに接続されているため、回路基板２４に実装されたイメージセンサ２１や電子部品４０から発生した熱を、回路基板２４及び第１シールド導体２７Ｂを介して、挿入部６の基端側に効率良く放熱させることができる。すなわち、撮像装置２０には、挿入部６の基端側への十分な容量の放熱経路を確保することができる。
【００３０】
また、回路基板２４は、センサ接続部３０と電線接続部３１の境界２４ａで折り曲げられ、センサ接続部３０の外径端から挿入部６の基端側かつイメージセンサ２１の受像面の中心方向に延伸した電線接続部３１のケーブル接続面３１ａに、伝送ケーブル２７の各ケーブル２８の芯線２８Ａ及び第１シールド導体２７Ｂが接続される。さらに、回路基板２４のケーブル接続面３１ａは、回路基板２４をセンサホルダ２３に対して挿入部６の長手方向と直交する平面に投影した場合に、センサホルダ２３の投影最外径端の内側に位置する。したがって、回路基板２４に芯線２８Ａや第１シールド導体２７Ｂを接続したことにより、撮像装置２０の細径化は阻害されない。
【００３１】
また、回路基板２４のケーブル接続面３１ａとは反対側の面には電子部品４０が実装されるため、撮像装置２０内の空間を最大限に有効利用できる。
【００３２】
図５は、挿入部６の先端部１０に搭載された撮像装置の第２実施形態の構成を示す。なお、以下の説明では、既に説明した構成要素と同一の構成要素については同一符号を付してその説明を適宜省略する。
【００３３】
第２実施形態の撮像装置５０は、第１実施形態の撮像装置２０と同様に、イメージセンサ２１、鏡筒２２、センサホルダ２３、回路基板２４及び伝送ケーブル２７を備える。第２実施形態の撮像装置５０では、伝送ケーブル２７の第１シールド導体２７Ｂに加えて、２本のケーブル２８の各第２シールド導体２８Ｃも回路基板２４のケーブル接続面３１ａに接続されている。
【００３４】
第２実施形態の上記構成によれば、第２シールド導体２８Ｃを回路基板２４のケーブル接続面３１ａに接続したことにより、第１シールド導体２７Ｂに加えて、第２シールド導体２８Ｃも放熱経路として機能するので、回路基板２４に実装されたイメージセンサ２１や電子部品４０から発生した熱を、第１実施形態よりも更に効率良く放熱させることができる。すなわち、撮像装置５０には、挿入部６の基端側へのより一層十分な容量の放熱経路を確保することができる。
【００３５】
図６及び図７は、挿入部６の先端部１０に搭載された撮像装置の第３実施形態の構成を示す。なお、以下の説明では、既に説明した構成要素と同一の構成要素については同一符号を付してその説明を適宜省略する。
【００３６】
第３実施形態の撮像装置６０は、第１実施形態の撮像装置２０が備えるイメージセンサ２１、鏡筒２２、センサホルダ２３、回路基板２４及び伝送ケーブル２７に加え、イメージセンサ２１及び回路基板２４を覆う導体製のケース６１をさらに備える。第３実施形態の撮像装置６０では、伝送ケーブル２７の第１シールド導体２７Ｂが、回路基板２４のケーブル接続面３１ａに接続されるとともに、ケース６１にも接続されている。
【００３７】
ケース６１は、一対の側壁６２，６３及び一対の側壁６２，６３に架け渡された天井壁６４を有している。天井壁６４の側壁６２，６３の近傍には、挿入部６の基端側に位置する端６４ｃから長手方向中央にかけて、一対のスリット６４ａ，６４ｂが互いに平行に形成されている。そして、天井壁６４の両スリット６４ａ，６４ｂ間の部分であるケース要素６５がケース６１の内側に曲げ加工され、そのケース要素６５に第１シールド導体２７Ｂが銀ペースト又は半田により接続されている。
【００３８】
第３実施形態の上記構成によれば、伝送ケーブル２７の第１シールド導体２７Ｂが回路基板２４に加えてケース６１にも接続されているため、イメージセンサ２１や電子部品４０から発生した熱を、第１シールド導体２７Ｂだけでなくケース６１にも逃がすことができるので、第１実施形態よりも放熱性を高めることができる。
【００３９】
図８は、挿入部６の先端部１０に搭載された撮像装置の第４実施形態の構成を示す。なお、以下の説明では、既に説明した構成要素と同一の構成要素については同一符号を付してその説明を適宜省略する。
【００４０】
第４実施形態の撮像装置７０は、第３実施形態の撮像装置６０と同様に、イメージセンサ２１、鏡筒２２、センサホルダ２３、回路基板２４、伝送ケーブル２７及びケース６１を備える。第４実施形態の撮像装置７０では、伝送ケーブル２７の第１シールド導体２７Ｂに加えて、２本のケーブル２８の各第２シールド導体２８Ｃも回路基板２４のケーブル接続面３１ａに接続され、さらに、第２シールド導体２８Ｃはケース６１にも接続されている。具体的には、ケース６１の天井壁６４に、ケース６１の内側に曲げ加工されたケース要素６６が、第３実施形態に倣う構成で形成され、そのケース要素６６に第２シールド導体２８Ｃが接続されている。
【００４１】
第４実施形態の上記構成によれば、回路基板２４に第１シールド導体２７Ｂを接続するとともに、第２シールド導体２８Ｃを回路基板２４とケース６１に接続したことにより、イメージセンサ２１や電子部品４０から発生した熱を、第１シールド導体２７Ｂ及び第２シールド導体２８Ｃだけでなく、第２シールド導体２８Ｃを介してケース６１にも逃がすことができるので、第２実施形態よりも放熱性を高めることができる。
【００４２】
図９は、挿入部６の先端部１０に搭載された撮像装置の第５実施形態の構成を示す。なお、以下の説明では、既に説明した構成要素と同一の構成要素については同一符号を付してその説明を適宜省略する。
【００４３】
第５実施形態の撮像装置８０は、第１実施形態の撮像装置２０と同様に、イメージセンサ２１、鏡筒２２、センサホルダ２３、回路基板２４及び伝送ケーブル２７を備える。第５実施形態の撮像装置８０では、伝送ケーブル２７の第１シールド導体２７Ｂが、回路基板２４のケーブル接続面３１ａに接続されるとともに、センサホルダ２３にも接続されている。なお、本実施形態のセンサホルダ２３は、イメージセンサ２１を保持する部分から挿入部６の基端側に延在する延在部２３ａを有し、その延在部２３ａに第１シールド導体２７Ｂが接続されている。また、本実施形態の回路基板２４は、センサ接続部３０と電線接続部３１の境界２４ａと、境界２４ａよりも基端側の箇所２４ｂの２箇所で折り曲げられている。
【００４４】
第５実施形態の上記構成によれば、伝送ケーブル２７の第１シールド導体２７Ｂが回路基板２４に加えてセンサホルダ２３にも接続されているため、イメージセンサ２１や電子部品４０から発生した熱を、第１シールド導体２７Ｂだけでなくセンサホルダ２３にも逃がすことができるので、第１実施形態よりも放熱性を高めることができる。
【００４５】
図１０は、挿入部６の先端部１０に搭載された撮像装置の第６実施形態の構成を示す。なお、以下の説明では、既に説明した構成要素と同一の構成要素については同一符号を付してその説明を適宜省略する。
【００４６】
第６実施形態の撮像装置９０は、第１実施形態の撮像装置２０と同様に、イメージセンサ２１、鏡筒２２、センサホルダ２３、回路基板２４及び伝送ケーブル２７を備える。第６実施形態の撮像装置９０では、伝送ケーブル２７の第１シールド導体２７Ｂが回路基板２４のケーブル接続面３１ａに接続されるとともに、２本のケーブル２８の各第２シールド導体２８Ｃがセンサホルダ２３に接続されている。なお、本実施形態のセンサホルダ２３は、イメージセンサ２１を保持する部分から挿入部６の基端側に延在する延在部２３ｂを有し、その延在部２３ｂに第２シールド導体２８Ｃが接続されている。また、本実施形態の回路基板２４は、センサ接続部３０と電線接続部３１の境界２４ａと、境界２４ａよりも基端側の箇所２４ｂの２箇所で折り曲げられている。
【００４７】
第６実施形態の上記構成によれば、回路基板２４に第１シールド導体２７Ｂを接続するとともに、第２シールド導体２８Ｃをセンサホルダ２３に接続したことにより、イメージセンサ２１や電子部品４０から発生した熱を、第１シールド導体２７Ｂだけでなく、第２シールド導体２８Ｃを介してセンサホルダ２３にも逃がすことができるので、第１実施形態よりも放熱性を高めることができる。
【００４８】
なお、本発明は、上記各実施形態に限定されるものではなく、適宜、変形、改良、等が可能である。例えば、上記実施形態の伝送ケーブル２７は、２本のケーブル２８が外皮やシールド導体等によって束ねられた構成であるが、３本以上のケーブル２８が束ねられた構成であっても良い。また、上記実施形態では、回路基板２４にフレキシブル基板を使用しているが、フレキシブル基板の代わりにリジッド基板を使用しても良い。さらに、上記実施形態では、回路基板２４が１回又は２回折り曲げられた構造を例示したが、３回以上折り曲げられた構造の回路基板であっても良い。
【００４９】
以上説明したとおり、本明細書に開示された内視鏡は、
体腔内に挿入される挿入部の先端部に撮像装置を備える内視鏡であって、
上記撮像装置は、
受像面が上記挿入部の長手方向に交差して配置される固体撮像素子と、
上記固体撮像素子の接続端子が設けられた面に対向して上記接続端子と接続する第１領域部と、上記第１領域部の外径端から上記挿入部の基端側かつ上記受像面の中心方向に延伸した第２領域部と、を有し、１回以上折り曲げられた基板と、
上記挿入部の基端側から先端側に伸び、上記挿入部の基端に対向する上記第２領域部の一面に電気的に接続される複数本のケーブルが束ねられた複合線と、を有し、
上記複合線は、束ねられた上記複数本のケーブルの周りに設けられた第１外部導体を有し、
上記第１外部導体は、上記複数本のケーブルが接続される上記第２領域部の一面であるケーブル接続面に接続される。
【００５０】
また、上記固体撮像素子を保持する保持部材及び上記基板を、上記挿入部の長手方向と直交する平面に投影した場合、上記第２領域部の上記ケーブル接続面が上記保持部材の投影最外径端の内側に位置する。
【００５１】
また、上記ケーブルはシールド線であり、上記ケーブルの芯線の周りに設けられた第２外部導体は上記第２領域部の上記ケーブル接続面に接続される。
【００５２】
また、上記第２領域部の上記ケーブル接続面とは裏側の面に、電子部品が実装される。
【００５３】
また、上記基板は可撓性基板である。
【００５４】
また、上記撮像装置は、上記固体撮像素子及び上記基板を覆うケースを有し、上記第１外部導体は上記ケースに接続される。
【００５５】
また、上記撮像装置は、上記固体撮像素子及び上記基板を覆うケースを有し、上記第２外部導体は上記ケースに接続される。
【００５６】
また、上記撮像装置は、上記固体撮像素子を保持する保持部材を有し、上記第１外部導体は上記保持部材に接続される。
【００５７】
また、上記撮像装置は、上記固体撮像素子を保持する保持部材を有し、上記第２外部導体は上記保持部材に接続される。
【符号の説明】
【００５８】
２  内視鏡
６  挿入部
１０  先端部
２０，５０，６０，７０，８０，９０  撮像装置
２１  イメージセンサ（固体撮像素子）
２２  鏡筒
２３  センサホルダ（保持部材）
２４  回路基板（基板）
２６  接続端子
２７  伝送ケーブル（複合線）
２７Ａ  結束層
２７Ｂ  第１シールド導体（第１外部導体）
２７Ｃ  外被
２８  ケーブル
２８Ａ  芯線
２８Ｂ  絶縁層
２８Ｃ  第２シールド導体（第２外部導体）
２８Ｄ  外被
３０  センサ接続部（第１領域部）
３１  電線接続部（第２領域部）
３１ａ  ケーブル接続面
４０  電子部品
６１  ケース
【図１】
2018038677.tif 000003
【図２】
2018038677.tif 000004
【図３】
2018038677.tif 000005
【図４】
2018038677.tif 000006
【図５】
2018038677.tif 000007
【図６】
2018038677.tif 000008
【図７】
2018038677.tif 000009
【図８】
2018038677.tif 000010
【図９】
2018038677.tif 000011
【図１０】
2018038677.tif 000012